(57)【要約】 【課題】  防災型でありながら魚類等の水生生物の生息域を積極的に形成することができ、内部に大きな空間を有する大型ブロックや連続ブロック体を用いた護岸形成を可能にする。【解決手段】  下部が川床又は海床に埋設されて立設される３本以上の支柱部材（３）とこの支柱部材の２本を連結する側板部材（４）とからなると共に、上部と下部が開放されて内部に空間が形成された単位ブロック体（２）を備え、この単位ブロック体は、少なくとも一方向に複数列に連続されてなる連続ブロック体（１）を形成し、側板部材は、少なくとも一部が水面下に没する開口部（５）を有する。また、側板部材は、支柱部材とは別体に形成されて支柱部材との組立により単位ブロック体を形成する。【選択図】        図１
2006336404.tif 000002
【特許請求の範囲】
【請求項１】
下部が川床又は海床に埋設されて立設される３本以上の支柱部材（３，１３，２３，５３）と前記支柱部材の２本を連結する側板部材（４，２４，７４）とからなると共に上部と下部が開放されて内部に空間が形成された単位ブロック体（２，２２，５２，６２，７２）を備えた護岸ブロックにおいて、前記単位ブロック体は、少なくとも一方向に複数列に連続されてなる連続ブロック体（１，２１，５１，６１，７１）を形成し、前記側板部材は、少なくとも一部が水面下に没する開口部（５，７５）を有することを特徴とする魚巣マングローブ護岸ブロック。
【請求項２】
下部が川床又は海床に埋設されて立設される３本以上の支柱部材（３，１３，２３，５３）と前記支柱部材の２本を連結する側板部材（４，２４，７４）とからなると共に上部と下部が開放されて内部に空間が形成された単位ブロック体（２，２２，５２，６２，７２）を備えた護岸ブロックにおいて、前記側板部材は、前記支柱部材とは別体に形成されて前記支柱部材との組立により前記単位ブロック体を形成することを特徴とする魚巣マングローブ護岸ブロック。
【請求項３】
前記単位ブロック体（２，２２，５２，６２，７２）は、２本の前記支柱部材と前記支柱部材を連結する一つの前記側板部材とを共有して少なくとも一方向に複数列に連続されてなる連続ブロック体（１，２１，５１，６１，７１）を形成し、前記側板部材は、少なくとも一部が水面下に没する開口部（５，７５）を有することを特徴とする請求項２に記載の魚巣マングローブ護岸ブロック。
【請求項４】
前記単位ブロック体（２，２２，５２，６２，７２）は、横断面形状が４本の前記支柱部材（３，１３，２３，５３）と４つの前記側板部材（４，２４，７４）とからなる平行四辺形、又は、３本の前記支柱部材と３つの前記側板部材とからなる三角形に形成されることを特徴とする請求項１ないし３のいずれか一つに記載の魚巣マングローブ護岸ブロック。
【請求項５】
前記支柱部材（１３）は、前記川床又は海床に埋設される前記下部に水平方向に突出して埋設後に前記川床又は海床に係止するアンカー部（１４）を備えたことを特徴とする請求項１ないし４のいずれか一つに記載の魚巣マングローブ護岸ブロック。
【請求項６】
前記支柱部材（３，１３，２３，５３）は、上端部が前記側板部材（４，２４，７４）の上端部よりも上方に突出していることを特徴とする請求項１ないし５のいずれか一つに記載の魚巣マングローブ護岸ブロック。
【請求項７】
請求項１，３，４，５，６のいずれかに記載の魚巣マングローブ護岸ブロックを用いた護岸工法であって、前記連続ブロック体（１）の連続する前記単位ブロック体（２）を水辺側から築堤側へ配設し、水辺側第１列の前記単位ブロック体の前記内部空間に木杭（３１）を打ち込み、水辺側第２列以降の前記単位ブロック体の前記内部空間に石材（３２，３３）を投入し、前記水辺側第２列以降の前記単位ブロック体を前記河岸又は海岸に埋設することを特徴とする魚巣マングローブ護岸ブロックを用いた護岸工法。
【請求項８】
前記水辺側第１列の前記単位ブロック体（２）の上方を蓋部材（４１）で覆い、前記水辺側第１列の前記単位ブロック体を前記河岸又は海岸に埋設することを特徴とする請求項７に記載の魚巣マングローブ護岸ブロックを用いた護岸工法。
【請求項９】
請求項１，３，４，５，６のいずれかに記載の魚巣マングローブ護岸ブロックを用いた護岸工法であって、前記連続ブロック体（５１，６１）の連続する前記単位ブロック体（５２，６２）を水辺側から築堤側へ配設し、水辺側第１列の前記単位ブロック体の前記内部空間に木杭（６５）を打ち込み、水辺側第２列以降の前記単位ブロック体の前記内部空間に石材（６６，６７）を投入すると共に、前記連続ブロック体を上下方向に複数段を重設し、下段の前記連続ブロック体の水辺側第ｎ列の前記単位ブロック体上に上段の前記連続ブロック体の水辺側第ｎ−１列の前記単位ブロック体を重設し、最上段の前記連続ブロック体の水辺側第２列以降の前記単位ブロック体を前記河岸又は海岸に埋設することを特徴とする魚巣マングローブ護岸ブロックを用いた護岸工法。
【請求項１０】
前記石材（３２，３３，６６，６７）の粒径を前記単位ブロック体（２，５２，６２）の列毎に水辺側から築堤側へ順次小さくしたことを特徴とする請求項７ないし９のいずれか一つに記載の魚巣マングローブ護岸ブロックを用いた護岸工法。
【請求項１１】
請求項１，３，４，５，６のいずれかに記載の魚巣マングローブ護岸ブロックを用いた護岸工法であって、前記連続ブロック体（７１）の連続する前記単位ブロック体（７２）を川床に下流側から上流側へ配設し、下流側第１列の前記単位ブロック体の前記内部空間に木杭（７６）を打ち込むと共に上方を蓋部材（７７）で覆い、下流側第２列以降の前記単位ブロック体の前記内部空間に石材（７８，７９）を投入することを特徴とする魚巣マングローブ護岸ブロックを用いた護岸工法。
【請求項１２】
前記石材（７８，７９）の粒径を前記単位ブロック体の列毎に下流側から上流側へ順次小さくしたことを特徴とする請求項１１に記載の魚巣マングローブ護岸ブロックを用いた護岸工法。
【発明の詳細な説明】
【技術分野】
【０００１】
本発明は、河川や海岸のビオトープ護岸として使用されて好適な、環境に優しい魚巣マングローブ護岸ブロック及びそれを用いた護岸工法に関する。
【背景技術】
【０００２】
従来、河川や海岸（岸壁を含む）に対する護岸は、古くは防災一辺倒の考え方から、コンクリートブロックを用いるのが一般的であった。しかしながら、近年、より自然に近く、生き物が生息できる自然工法が要求されるようになった。このため、フトン篭や自然石を使用したもの（例えば、非特許文献１参照）、あるいは、コンクリートブロックであっても、特に水辺植物の生育が可能なように、土壌を入れるための空間や段差を設けたもの（例えば、非特許文献２参照）、あるいは、魚道を設けたもの（例えば、非特許文献３参照）等が使用されるようになった。
【非特許文献１】カタログ「ハニカムストーン」、大阪製鐵株式会社、１９９９年６月２日発行
【非特許文献２】カタログ「水辺物語」、技研興業株式会社、１９９４年７月発行
【非特許文献３】カタログ「魚道用根固コンクリートブロックととろっく」、技研興業株式会社、１９９６年１月発行
【発明の開示】
【発明が解決しようとする課題】
【０００３】
しかしながら、上述の従来の自然工法は、フトン篭のように、内部に石材が詰め込まれて護岸そのものを目的とするものや、空間や段差を設けたコンクリートブロックのように、内部に土壌を入れて水辺の植生を回復すると共に、その植生によって日陰などを形成し、間接的に魚類等の水生生物の生息を図るもの等に限定されている。
【０００４】
したがって、これらの従来の自然工法においては、河川の生態系に必要な、築堤側からの伏流水や湧水が遮断されると共に、魚類等の水生生物の生息域がほとんど存在しないものとなっている。また、これらの従来の自然工法では、一旦洪水が発生すると、その流域の水生生物は根こそぎ下流へ押し流されて死滅する。このように、水辺は魚類等の水生生物の生息場所として極めて重要な空間である一方、従来の自然工法の中には生態系を無視したものが多く、特に水生生物の生息域を積極的に形成するものにはなっていないという問題がある。
【０００５】
また、上述の従来の自然工法においては、工場生産したコンクリートブロック等を、施工現場にトラック、クレーン等によって運び込む場合、一つ一つを比較的小型のブロック体として製造するほかはない。このため、特に内部に大きな空間を有する大型ブロックや連続ブロック体を用いた護岸形成を行なう場合、そのブロックは現場生産とせざるを得ず、工期等に大きな影響を及ぼす。
【０００６】
本発明はこのような問題を解決するためになされたもので、防災型でありながら、特に魚類等の水生生物の生息域を積極的に形成することができる、魚巣マングローブ護岸ブロック及びそれを用いた護岸工法を提供することを課題とする。
【０００７】
また、工場での大量生産が可能のみならず施工現場への運搬及び設置も容易であり、特に内部に大きな空間を有する大型ブロックや連続ブロック体を用いた護岸形成が極めて容易になる、マングローブ護岸ブロック及びそれを用いた護岸工法を提供することを課題とする。
【課題を解決するための手段】
【０００８】
上述の課題を解決するために、本発明が採用する手段は、下部が川床又は海床に埋設されて立設される３本以上の支柱部材と支柱部材の２本を連結する側板部材とからなると共に上部と下部が開放されて内部空間が形成された単位ブロック体を備えた護岸ブロックにおいて、この単位ブロック体は、少なくとも一方向に複数列に連続されてなる連続ブロック体を形成し、側板部材は、少なくとも一部が水面下に没する開口部を有することにある。
【０００９】
このように、本発明の魚巣マングローブ護岸ブロックは、防災型でありながら単位ブロック体は内部空間を有し、かつ、その側板部材が水面下に没する開口部を有するから、内部空間に川水又は海水が自由に出入りすることができると共に、魚類等の水生生物にとって必要な生息域を積極的に形成することができる。また、単位ブロック体が、複数列に連続されてなる連続ブロック体を形成することにより、魚類等の水生生物に自然かつ複雑な生息域を提供することができる。
【００１０】
また、上述の課題を解決するために、本発明が採用する手段は、下部が川床又は海床に埋設されて立設される３本以上の支柱部材と支柱部材の２本を連結する側板部材とからなると共に、上部と下部が開放されて内部空間が形成された単位ブロック体を備えた護岸ブロックにおいて、側板部材は、支柱部材とは別体に形成されて支柱部材との組立により単位ブロック体を形成することにある。
【００１１】
このように、本発明の魚巣マングローブ護岸ブロックは、支柱部材とは別体に形成された側板部材を有し、支柱部材との組立により単位ブロック体が形成されるから、大型ブロックや連続ブロック体であっても工場での大量生産が可能であり、施工現場への運搬及び設置も極めて容易である。
【００１２】
上記単位ブロック体は、２本の支柱部材と支柱部材を連結する一つの側板部材とを共有して少なくとも一方向に複数列に連続されてなる連続ブロック体を形成し、側板部材は、少なくとも一部が水面下に没する開口部を有することが望ましい。
【００１３】
このように、内部空間を有する単位ブロック体は、防災型でありながらその側板部材が水面下に没する開口部を有するから、内部空間に水や魚類等の水生生物が自由に出入りすることができると共に、水生生物にとって必要な生息域を積極的に形成することができる。また、単位ブロック体が複数列に連続されてなる連続ブロック体を形成することにより、魚類等の水生生物により自然かつ複雑な生息域を提供することができる。特に、支柱部材と側板部材との上記組立方式によって、このような連続ブロック体の形成が極めて容易になる。
【００１４】
上記いずれかの魚巣マングローブ護岸ブロックにおいて、単位ブロック体は、横断面形状が４本の支柱部材と４つの側板部材とからなる平行四辺形、又は、３本の支柱部材と３つの側板部材とからなる三角形に形成されることが望ましい。このように、単位ブロック体の横断面形状を平行四辺形又は三角形に形成することにより、河岸又は海岸線が蛇行する場合にも、この平行四辺形又は三角形の傾斜角度を任意に変化させることにより、河岸又は海岸線に沿った凹凸形状を有する護岸を容易に形成することができる。この護岸の凹凸形状により、水際の流速を変化させたり、土砂堆積を期待することができ、魚類等の水生生物に極めて自然に近い生息域を提供することができる。なお、平行四辺形には菱形も含まれる。
【００１５】
上記いずれかの魚巣マングローブ護岸ブロックにおいて、支柱部材は、川床又は海床に埋設される下部に水平方向に突出して埋設後に川床又は海床に係止するアンカー部を備えることが望ましい。このように、川床又は床岸に埋設される下部に、水平方向に突出して埋設後に川床又は海床に係止するアンカー部を備えたことにより、支柱部材の洗掘や浮き上がりを防止することができる。
【００１６】
上記いずれかの魚巣マングローブ護岸ブロックにおいて、支柱部材は、その上端部が側板部材の上端部よりも上方に突出していることが望ましい。このように、支柱部材の上端部を側板部材の上端部よりも上方に突出させることにより、このブロックを土壌中に埋設したときに、ブロックの安定化とその上に被せた土砂等の滑り止め防止を図ることができる。
【００１７】
上記いずれかの魚巣マングローブ護岸ブロックを用いた護岸工法であって、連続ブロック体の連続する単位ブロック体を水辺側から築堤側へ配設し、水辺側第１列の単位ブロック体の内部空間に木杭を打ち込み、水辺側第２列以降の単位ブロック体の内部空間に石材を投入し、水辺側第２列以降の単位ブロック体を川床又は海床に埋設する。
【００１８】
このような護岸工法によって、水辺側第１列の単位ブロック体の木杭により、疑似マングローブ空間を形成することができ、魚類等の水生生物に快適な生息域を提供することができる。この木杭は連続ブロック体の固定にも役立つ。また、石材を投入した水辺側第２列以降の単位ブロック体を河岸又は海岸に埋設することにより、側面部材の開口部を通して伏流水及び湧水の進入が可能となって、魚類等の水生生物にとって一段と快適な生息域を提供することができる。この石材によって、連続ブロック体の固定及び安定化を図ることができる。
【００１９】
上記護岸工法において、水辺側第１列の単位ブロック体の上方を蓋部材で覆い、水辺側第１列の単位ブロック体を河岸又は海岸に埋設することが望ましい。これにより、水辺側第１列の単位ブロック体の上部がすべて覆われ、魚類等の水生生物に、外敵又は洪水に対する安全な生息域を提供することができると共に、水辺側第１列の単位ブロック体上を有効土地として利用することが可能となる。
【００２０】
上記いずれかの魚巣マングローブ護岸ブロックを用いた護岸工法であって、連続ブロック体の連続する単位ブロック体を水辺側から築堤側へ配設し、水辺側第１列の単位ブロック体の内部空間に木杭を打ち込み、水辺側第２列以降の単位ブロック体の内部空間に石材を投入すると共に、連続ブロック体を上下方向に複数段を重設し、下段の連続ブロック体の水辺側第ｎ列の単位ブロック体上に上段の連続ブロック体の水辺側第ｎ−１列の単位ブロック体を重設し、最上段の連続ブロック体の水辺側第２列以降の単位ブロック体を河岸又は海岸に埋設する。ここで、ｎは２以上の整数である。
【００２１】
このような多段式護岸ブロックとすることにより、水深の深い河岸や海岸（岸壁を含む）に対しても、本護岸工法を実施することが可能となる。特に、海岸（岸壁を含む）に実施すれば波消し効果を生むことができ、魚類等の水生生物にとって、さらに住みやすい環境を提供することができる。
【００２２】
上記いずれかの護岸工法において、石材の粒径を単位ブロック体の列毎に水辺側から築堤側へ順次小さくすることが望ましい。このように、築堤側の石材の粒径を小さくすることにより、築堤側土壌の流入を防止すると共に、側板部材の開口部から進入する伏流水や湧水の浄化を図ることができる。
【００２３】
上記いずれかの魚巣マングローブ護岸ブロックを用いた護岸工法であって、連続ブロック体の連続する単位ブロック体を川床に下流側から上流側へ配設し、下流側第１列の単位ブロック体の内部空間に木杭を打ち込むと共に上方を蓋部材で覆い、下流側第２列以降の単位ブロック体の内部空間に石材を投入する。
【００２４】
このようにすることにより、下流側第１列の単位ブロック体の内部空間に疑似マングローブを形成することができ、魚類等の水生生物に快適な生息域を提供することができる。また、連続ブロック体によって上流側から流れてくる土砂が塞き止められて滝の形成が可能となり、魚類等の水生生物にとって安全な滝口の形成が可能になる。
【００２５】
上記護岸工法において、石材の粒径を単位ブロック体の列毎に下流側から上流側へ順次小さくすることが望ましい。このように、上流側の石材の粒径を小さくすることにより、上流側土砂の流れ込みを防止すると共に、側板部材の開口部から進入する伏流水や湧水の浄化を図ることができる。
【発明の効果】
【００２６】
本発明の魚巣マングローブ護岸ブロック及びそれを用いた護岸工法は、下部が川床又は海床に埋設されて立設される３本以上の支柱部材と支柱部材の２本を連結する側板部材とからなると共に上部と下部が開放されて内部空間が形成された単位ブロック体を備えた護岸ブロックにおいて、この単位ブロック体は、少なくとも一方向に複数列に連続されてなる連続ブロック体を形成し、側板部材は、少なくとも一部が水面下に没する開口部を有するから、防災型でありながら、特に魚類等の水生生物の生息域を積極的に形成することができる、という優れた効果を奏する。
【００２７】
また、本発明の魚巣マングローブ護岸ブロック及びそれを用いた護岸工法は、下部が川床又は海床に埋設されて立設される３本以上の支柱部材と支柱部材の２本を連結する側板部材とからなると共に、上部と下部が開放されて内部空間が形成された単位ブロック体を備えた護岸ブロックにおいて、側板部材は、支柱部材とは別体に形成されて支柱部材との組立により単位ブロック体を形成するから、工場での大量生産が可能のみならず施工現場への運搬及び設置も容易であり、特に内部に大きな空間を有する大型ブロックや連続ブロック体を用いた護岸形成が極めて容易になる、という優れた効果を奏する。
【発明を実施するための最良の形態】
【００２８】
本発明に係る魚巣マングローブ護岸ブロック及びそれを用いた護岸工法の発明の実施の形態を、図１ないし図１２を参照して詳細に説明する。
【００２９】
図１に、本発明に係る魚巣マングローブ護岸ブロックを示す。この護岸ブロック１は、その下部が川床又は海床に埋設されて立設される４本の支柱部材３と、各２本の支柱部材を連結する側板部材４とによって単位ブロック体２を形成し、この単位ブロック体２の連続ブロック体として形成される。単位ブロック体２は、例えば、水辺側から築堤側へ３列（複数列）に、また、上流側から下流側へ必要な長さ分の列として連続され、連続ブロック体である護岸ブロック１を形成する。このように、支柱部材３と側板部材４とを順次組み立てることにより、安定した枠型の防災型連続ブロック体が形成される。
【００３０】
各単位ブロック体２は、上部と下部が開放されて内部に空間が形成され、側板部材４は、この護岸ブロック１が川床又は海床に設置されたときに、少なくともその一部が水面下に没する開口部５を有する。支柱部材３は、その上端部が側板部材４の上端部よりも上方に突出している。このように支柱部材３の上端部を側板部材４の上端部よりも上方に突出させることにより、この護岸ブロック１を土壌中に埋設したときに、護岸ブロック１の安定化のみならず、護岸ブロック１上に被せた土砂等のすべり止め防止となる。
【００３１】
図２は、護岸ブロック１を示す平面図であり、護岸ブロック１の各単位ブロック体２は、４本の支柱部材３と４つの側板部材４とによって、横断面形状が正方形又は長方形に形成される。側板部材４は、支柱部材３とは別体に形成されて、支柱部材３との組立により各単位ブロック体２が形成される。支柱部材３と側板部材４は、予め工場生産され、施工現場でそれらの組立が行われる。
【００３２】
図３（ａ）ないし（ｃ）は、護岸ブロック１の支柱部材３を示す平面図である。支柱部材３は、ブラケット６が工場出荷時に一体に取り付けられている。支柱部材３は、使用箇所に応じてブラケット６の個数が異なり、３種類の支柱部材３ａ，３ｂ，３ｃが用意される。側板部材４は、支柱部材３に取り付けられたブラケット６に、ボルト及びナットで容易に取り付けことができる。
【００３３】
図４は、護岸ブロック１を示す側面図であり、図５（ａ）及び図５（ｂ）は、護岸ブロック１の水辺側第１列の水辺側の側板部材４及び水辺側第３列の築堤側の側板部材４を示す正面図である。図１，図４，図５（ａ）及び（ｂ）に示すように、水辺側第１列の単位ブロック体２の水辺側及び側面側の側板部材４の開口部５は、空洞のままとされる。
【００３４】
しかし、必要により、水辺側第２列の単位ブロック体２の水辺側及び側面側の側板部材４の開口部５には、粗目の金網パネル７が、また、水辺側第３列の単位ブロック体２の水辺側及び側面側の側板部材４の開口部５には、細目の金網パネル８が、そして、水辺側第３列の単位ブロック体２の築堤側の側板部材４の開口部５には、微細目の金網パネル９がそれぞれ取り付けられる。
【００３５】
図６は、図１とは異なる支柱部材を示す正面図である。この支柱部材１３には、アンカー部１４が付設される。このアンカー部１４は、川床又は海床に埋設される下部に、水平方向に突出して埋設後に川床又は床岸に係止する。アンカー部１４は、中心部に孔の開いたコンクリート板１５を支柱部材１３の下端部に挿入して、鉄棒等の係止部材１６で係止することにより形成される。このようなアンカー部１４を備えたことにより、支柱部材１３の洗掘や浮き上がりを防止することができる。
【００３６】
図７は、図１とは異なる護岸ブロックを示す平面図であり、図８は、図７の護岸ブロックの細部を示す平面図である。図７に示すように、この護岸ブロック２１において、単位ブロック体２２は、４本の支柱部材２３と４つの側板部材２４とにより形成されて、横断面形状が平行四辺形に形成される。この平行四辺形には菱形も含まれる。
【００３７】
図８に示すように、単位ブロック体２２の傾斜部分を形成する支柱部材２３と側板部材２４との間は、その傾斜角度に応じて折曲された角度調整板２５を介在させて、ボルト及びナット結合される。このような角度調整板２５を介在させることにより、護岸ブロック２１の単位ブロック体２２の支柱部材２３及び側板部材２４は、上述の横断面形状が正方形や長方形の単位ブロック２を有する護岸ブロック１で用いた支柱部材３及び側板部材４を、そのまま使用することができる。また、角度調整板２５の角度変更によって、平行四辺形からなる横断面形状の傾斜角度を容易に変更することができる。
【００３８】
このように、単位ブロック体２２の横断面形状を平行四辺形に形成することにより、河岸又は海岸線が蛇行する場合にも、横断面形状である平行四辺形の傾斜角度の変更によって、河岸又は海岸線に沿った凹凸形状を有する護岸を容易に形成することができる。この凹凸形状により、水際の流速を変化させたり、土砂堆積を期待することができ、魚類等の水生生物に極めて自然に近い生息域を提供することができる。
【００３９】
また、単位ブロック体の横断面形状を３本の支柱部材と３つの側板部材とからなる三角形にすることによっても、横断面形状が平行四辺形の場合と同様に、河岸又は海岸線に沿った凹凸形状を有する護岸を容易に形成することができ、同様の作用を奏することができる。
【００４０】
このように、本魚巣マングローブ護岸ブロックにおいては、内部空間を有する単位ブロック体２において、その側板部材４が水面下に没する開口部５を有するから、内部空間に川水又は海水が自由に出入りすることができ、魚類等の水生生物の回遊も可能になり、これら水生生物にとって重要な生息域を積極的に形成することができる。
【００４１】
護岸ブロック１は、単位ブロック体２が水辺側から築堤側へ３列に連続されてなる連続ブロック体として形成されることにより、魚類等の水生生物に自然かつ複雑な生息域を提供することができる。また、支柱部材３と側板部材４との組立方式により、このような大型の連続ブロック体の工場での大量生産が可能となるのみならず、施工現場への運搬及び設置も容易になり、内部に大きな空間を有する大型ブロックや連続ブロック体を用いた護岸形成が極めて容易になる。
【００４２】
なお、上述の魚巣マングローブ護岸ブロックは一例にすぎず、本発明の趣旨に基づいて種々の変形が可能であり、それらを本発明の範囲から排除するものではない。
【００４３】
例えば、上述の単位ブロックは４本の支柱部材と４つの側面部材とにより形成されたが、これに限定されるものではなく、３本以上の支柱部材とその支柱部材の２本を連結する側板部材とにより形成されるものであれば、どのようなものでもよい。すなわち、各単位ブロックの横断面形状は、正方形、長方形、菱形を含む平行四辺形、三角形に限定されるものではなく、五角形以上の多角形であってもよい。また、上述の護岸ブロックは、例えば、水辺側から築堤側へ３列に連続されてなる連続ブロック体であったが、これに限定されるものではなく、２列又は４列以上に連続するものでもよいことは勿論である。
【００４４】
次に、本発明の魚巣マングローブ護岸ブロックを用いた護岸工法について説明する。
【００４５】
図９は、図１の護岸ブロック１を用いた護岸工法を示す縦断面図である。護岸ブロック１の３列に連続されてなる単位ブロック体２を、水辺側から築堤側へ配設する。水辺側第１列の単位ブロック体２の内部空間に、例えば、流木、間伐材等を利用した木杭３１を打ち込む。水辺側第１列の単位ブロック体２の水辺側及び側面側の側板部材４の開口部５を通して、水及び魚類等の水生生物の出入りが自由となる。
【００４６】
水辺側第２列の単位ブロック体２の内部空間に、粒径の比較的大きい石材３２、例えば大割石、中割石、玉石等を投入する。水辺側第３列の単位ブロック体２の内部空間に、粒径の比較的小さい石材３３、例えば栗石、砂利等を投入する。水辺側第２列及び第３列の単位ブロック体２を河岸又は海岸に埋設する。このように、石材の粒径を単位ブロック体２の列毎に水辺側から築堤側へ順次小さくすることにより、築堤側からの土壌の流入を防止すると共に、側板部材４の開口部５から進入する伏流水や湧水の浄化を図ることができる。粒径の比較的大きい石材３２が投入された水辺側第２列の単位ブロック体２の内部空間は、稚魚の生育場所ともなる。
【００４７】
図４及び図５に示すように、水辺側第２列の単位ブロック体２の開口部５には粗目の金網パネル７が、また、水辺側第３列の単位ブロック体２の開口部５には細目の金網パネル８がそれぞれ取り付けられることにより、各石材３２，３３の流出が防止される。また、水辺側第３列の単位ブロック体２の、特に築堤側の側板部材４の開口部５に微細目の金網パネル９が取り付けられることにより、築堤側からの土砂等の流入が防止される。さらに、この金網パネル７，８，９に対しては、マングローブの根茎と同様に、藻類の付着が期待でき、これによる微生物の増殖によって魚類の餌場ともなる。
【００４８】
このような護岸工法によって、水辺側第１列の単位ブロック体２の木杭３１により、水辺の森として疑似マングローブ空間を形成することができ、水辺環境が復元されて、魚類等の水生生物に快適な生息域を提供することができる。木杭３１は護岸ブロック１の固定及び安定化にも役立つ。また、石材３２，３３を投入した水辺側第２列及び第３列の単位ブロック体２を河岸又は海岸に埋設することにより、側面部材４の開口部５を通して伏流水及び湧水の進入が可能となり、魚類等の水生生物にとって一段と快適な生息域を提供することができる。
【００４９】
この石材３２，３３によって、護岸ブロック１の固定及び安定化を図ることができる。さらに、金網ネット等を支柱部材３に固定して単位ブロック体２の底に敷いてから石材３２，３３を投入すれば、護岸ブロック１の一層の安定化を図ることができる。水辺側第１列の単位ブロック体２の木杭３１の上部に、例えば、隙間を有するコンクリート蓋、自然石等を載せ、さらに土壌を被せて植生を行えば、植物の根茎が水中に張り出し、より自然な形の疑似マングローブ空間を形成することができる。
【００５０】
図１０は、図１の護岸ブロック１を用いた別の護岸工法を示す縦断面図である。この護岸工法においては、水辺側第１列の単位ブロック体２の上方をコンクリート板等の蓋部材４１で完全に覆い、この水辺側第１列の単位ブロック体２を河岸又は海岸に埋設する。これにより、水辺側第１列の単位ブロック体２の上部がすべて覆われ、魚類等の水生生物に、外敵又は洪水に対する安全な生息域を提供することができる。また、水辺側第１列の単位ブロック体２上を、遊歩道等の有効土地として利用することが可能となる。その他は、上述の図９に示した護岸工法の場合と同様である。
【００５１】
図１１は、図１とは異なる護岸ブロック５０を用いた護岸工法を示す縦断面図である。護岸ブロック５０は、図１に示した護岸ブロック１と同様の連続ブロック体５１，６１を上下方向に２段に重設し、下段の連続ブロック体５１の水辺側第２列の単位ブロック体５２上に、上段の連続ブロック体６１の水辺側第１列の単位ブロック体６２が重なるように、１単位ブロック体ずつずらして配設したものである。
【００５２】
ただし、下段の連続ブロック体５１の水辺側第２列から第３列までの単位ブロック体５２の支柱部材５３は、上段の連続ブロック体６１の水辺側第１列第１列から第２列までの支柱部材と一体に形成されている。この通し柱方式により、上下段の連続ブロック体５１，６１の一体化、それによる剛性の強化が図られている。
【００５３】
そして、上段の護岸ブロック６１の水辺側第２列以降の単位ブロック体６２が河岸又は海岸に埋設され、下段の護岸ブロック５１の水辺側第１列の単位ブロック体５２は水中に没するように設置される。各段の水辺側第１列の単位ブロック体５２，６２の内部空間に木杭６５を打ち込み、水辺側第２列以降の単位ブロック体５２，６２の内部空間に石材６６，６７を投入する。各水辺側第３列の石材６７は、各水辺側第２列の石材６６よりも粒径がそれぞれ小さい。下段の護岸ブロック５１の水辺側第１列の単位ブロック体５２の上部には、葦等の水生植物の植生が行われる。
【００５４】
このような多段式護岸ブロックとすることにより、水深の深い河岸や海岸（岸壁を含む）に対しても、本護岸工法を実施することが可能となる。特に、水深の深い海岸については波消し効果を生むことができ、魚類等の水生生物にとって、さらに住みやすい環境を提供することができる。なお、重設する連続ブロック体の段数は、必ずしも２段に限定されるものではない。その他は、上述の図９に示した護岸工法の場合と同様である。
【００５５】
図１２は、図１及び図１１とは異なる護岸ブロックを用いた護岸工法を示す縦断面図である。護岸ブロック（連続ブロック体）７１の連続する単位ブロック体７２を、川床に下流側から上流側へ、かつ、上流側に対して下流側がやや高くなるように配設する。そして、下流側第１列の単位ブロック体７２の内部空間に木杭７６を打ち込むと共に、上方を蓋部材７７で覆う。下流側第２列及び第３列の単位ブロック体７２の内部空間に石材７８，７９を投入する。下流側第２列の単位ブロック体７２の石材７８は、第３列の石材７９よりも粒径がそれぞれ小さい。
【００５６】
このようにすることにより、下流側第１列の単位ブロック体７２の内部に疑似マングローブ空間を形成することができ、魚類等の水生生物に快適な生息域を提供することができる。また、上流側に対して下流側がやや高くなるようにした設置方法により、この護岸ブロック７１によって上流側から流れてくる土砂が塞き止められて滝が形成され、魚類等の水生生物にとって安全な滝口の形成も可能になる。
【００５７】
図５（ｃ）に示すように、下流側第１列の単位ブロック体７２の下流側の側板部材７４の上部に、Ｖ字型の開口部を形成することにより、その部分で人工滝を形成することもできる。また、水量の少ないときでもこの部分に水の流れが集中し、魚道を確保することができる。さらに、上流側の石材７９の粒径を小さくすることにより、上流側からの土砂の流れ込みを防止すると共に、側板部材７４の開口部７５から進入する伏流水や湧水の浄化を図ることができる。その他は、上述の図９に示した護岸工法の場合と同様である。
【００５８】
なお、上述の魚巣マングローブ護岸ブロックを用いた護岸工法は一例にすぎず、本発明の趣旨に基づいて種々の変形が可能であり、それらを本発明の範囲から排除するものではない。
【図面の簡単な説明】
【００５９】
【図１】本発明に係る魚巣マングローブ護岸ブロックを示す斜視図である。
【図２】図１の護岸ブロックを示す平面図である。
【図３（ａ）】図１の護岸ブロックの支柱部材を示す平面図ある。
【図３（ｂ）】図１の護岸ブロックの支柱部材を示す平面図である。
【図３（ｃ）】図１の護岸ブロックの支柱部材を示す平面図である。
【図４】図１の魚巣マングローブ護岸ブロックを示す側面図である。
【図５（ａ）】図１の魚巣マングローブ護岸ブロックの水辺側第１列の水辺側の側板部材を示す正面図である。
【図５（ｂ）】図１の魚巣マングローブ護岸ブロックの水辺側第３列の築堤側の側板部材を示す正面図である。
【図５（ｃ）】図１２の魚巣マングローブ護岸ブロックの下流側第１列の側板部材を示す正面図である。
【図６】図１とは異なる支柱部材を示す正面図である。
【図７】図１とは異なる魚巣マングローブ護岸ブロックを示す平面図である。
【図８】図７の魚巣マングローブ護岸ブロックの細部を示す平面図である。
【図９】図１の魚巣マングローブ護岸ブロックを用いた護岸工法を示す縦断面図である。
【図１０】図１の魚巣マングローブ護岸ブロックを用いた別の護岸工法を示す縦断面図である。
【図１１】図１とは異なる魚巣マングローブ護岸ブロックを用いた護岸工法を示す縦断面図である。
【図１２】図１及び図１１とは異なる魚巣マングローブ護岸ブロックを用いた護岸工法を示す縦断面図である。
【符号の説明】
【００６０】
１  護岸ブロック
２  単位ブロック体
３，３ａ，３ｂ，３ｃ  支柱部材
４  側板部材
５  開口部
６  ブラケット
７，８，９  金網パネル
１３  支柱部材
１４  アンカー部
１５  コンクリート板
１６  係止部材
２１  護岸ブロック
２２  単位ブロック体
２３  支柱部材
２４  側板部材
２５  角度調整板
３１  木杭
３２，３３  石材
４１  蓋部材
５０  護岸ブロック
５１  連続ブロック体
５２  単位ブロック体
５３  支柱部材
６１  連続ブロック体
６２  単位ブロック体
６５  木杭
６６，６７  石材
７１  連続ブロック体
７２  単位ブロック体
７４  側板部材
７６  木杭
７７  蓋部材
７５  開口部
７８，７９  石材
【図１】
2006336404.tif 000003
【図２】
2006336404.tif 000004
【図３（ａ）】
2006336404.tif 000005
【図３（ｂ）】
2006336404.tif 000006
【図３（ｃ）】
2006336404.tif 000007
【図４】
2006336404.tif 000008
【図５（ａ）】
2006336404.tif 000009
【図５（ｂ）】
2006336404.tif 000010
【図５（ｃ）】
2006336404.tif 000011
【図６】
2006336404.tif 000012
【図７】
2006336404.tif 000013
【図８】
2006336404.tif 000014
【図９】
2006336404.tif 000015
【図１０】
2006336404.tif 000016
【図１１】
2006336404.tif 000017
【図１２】
2006336404.tif 000018